(57)【要約】【課題】パッチ画像の再転写による転写材裏面汚れ等の画質不良を有効的に押さえ、クリーニング性能を改善したクリーニング装置を用いた画像形成装置を提供する。【解決手段】トナー画像を担持する像担持体と像担持体に圧接して搬送される転写材にトナー画像を転写する転写部材と、転写部材に圧接して転写部材から転写材に転移した残留トナーを除去するクリーニング手段と、を有する画像形成装置において、像担持体上の転写材間に相当する非画像領域にパッチ画像を形成する画像濃度検知手段と、クリーニング手段にバイアス電圧を印加する直流電源と、直流電源の極性を切り替える制御手段と、を有し、制御手段は、転写部材により転写部材に転移したトナー画像のクリーニング時と、パッチ画像のクリーニング時とでバイアス電圧の極性を切り替えるように制御する画像形成装置。【選択図】図３
2008089657.tif 000002
【特許請求の範囲】
【請求項１】
トナー画像を担持する像担持体と、前記像担持体に圧接して搬送される転写材に前記トナー画像を転写する転写部材と、前記転写部材に圧接して前記転写部材から前記転写材に転移した残留トナーを除去するクリーニング手段と、を有する画像形成装置において、
前記像担持体上の前記転写材間に相当する非画像領域にパッチ画像を形成する画像検知手段と、
前記クリーニング手段にバイアス電圧を印加する直流電源と、
前記直流電源の極性を切り替える制御手段と、を有し、
前記制御手段は、画像領域と非画像領域とで前記バイアス電圧の極性を切り替えるように制御することを特徴とする画像形成装置。
【請求項２】
前記制御手段は、前記クリーニング手段に印加する前記直流電源の前記バイアス電圧の極性が、トナー画像の転写時はトナーと同極性、画像間の非画像領域ではトナーと逆極性に切り替えるように制御することを特徴とする請求項１に記載の画像形成装置。
【請求項３】
前記クリーニング手段は、前記バイアス電圧が印加されるブラシローラと、該ブラシローラに当接するクリーニングブレードを有することを特徴とする請求項１または２に記載の画像形成装置。
【請求項４】
前記クリーニング手段は、ブラシローラと、該ブラシローラに当接するクリーニングブレードを有し、前記ブラシローラに当接する回収ローラに前記バイアス電圧が印加されることを特徴とする請求項１または２に記載の画像形成装置。
【請求項５】
前記バイアス電圧は、前記転写部材の転写対向部材に印加されていることを特徴とする請求項１乃至４の何れか１項に記載の画像形成装置。
【請求項６】
前記ブラシローラに潤滑剤を供給する潤滑剤供給手段を有することを特徴とする請求項１乃至４の何れか１項に記載の画像形成装置。
【請求項７】
前記像担持体は、静電潜像及び前記トナー画像を担持する感光体であり、前記制御手段は、前記感光体から前記転写部材に転移したトナー画像のクリーニング時と、パッチ画像のクリーニング時とで極性を切り替えるように制御することを特徴とする請求項１乃至６の何れか１項に記載の画像形成装置。
【請求項８】
前記像担持体は、前記画像形成装置の画像形成部により形成された前記トナー画像を一次転写して担持する中間転写体であり、前記中間転写体に担持された前記トナー画像は前記転写部材により前記転写材に二次転写され、
前記制御手段は、前記中間転写体から前記転写部材に転移したトナー画像のクリーニング時と、パッチ画像のクリーニング時とで極性を切り替えるように制御することを特徴とする請求項１乃至６の何れか１項に記載の画像形成装置。
【請求項９】
前記転写部材は、前記像担持体に形成された前記トナー画像を用紙に転写する転写ローラであることを特徴とする請求項１乃至６及び請求項８の何れか１項に記載の画像形成装置。
【請求項１０】
前記中間転写体は、前記中間転写体に形成されたカラー画像を用紙に転写する無端状の転写ベルトであることを特徴とする請求項１、請求項７、請求項８の何れか１項に記載の画像形成装置。
【発明の詳細な説明】
【技術分野】
【０００１】
本発明は、複写機、プリンタ、ファクシミリ、及びこれらの機能を併せ持つ電子写真方式を用いた画像形成装置に関し、特に、トナー像担持体等の表面に担持されたトナー画像を転写ローラにより転写材に転写する画像形成装置、または中間転写体上に形成した複数のカラートナー画像を重ね合わせて転写材に転写するカラー画像形成装置に関する。
【背景技術】
【０００２】
従来の画像形成装置として、例えば、中間転写型のカラー画像形成装置を例に挙げると、感光体ドラム等の像担持体の周囲にイエロー、マゼンタ、シアン、ブラックの各色成分の現像装置を備えると共に、像担持体に対し中間転写ベルトを対向配置し、像担持体の各色成分作像サイクル毎に像担持体上に形成された各色成分の未定着トナー画像を中間転写ベルトに順次一次転写した後、中間転写ベルト上に重ね合わされた各色トナー画像を用紙等の転写材へ二次転写して所望のカラー画像を転写材上に形成するようにしたものがある。
【０００３】
この種のカラー画像形成装置において、各色のトナー画像の転写位置にずれが生じたり、トナー画像の濃度が規定濃度からずれてしまうと、色ずれや色むら等の弊害を招く。そこで、特にカラー画像を形成する場合においては、例えば中間転写ベルト上の画像領域間の非画像領域に、トナー画像の位置合わせや濃度制御などのプロセスコントロール用のパッチ画像を形成し、このパッチ画像の読み取り結果に基づいて各色の制御パラメータを適宜設定、変更することにより、色ずれや色むらのないカラー画像を形成するようにしている。
【０００４】
また、中間転写ベルト上の各色トナー画像を転写材に転写する二次転写装置としては、例えばバックアップローラにて支持された中間転写ベルト表面側（トナー画像が転写される面側）に転写ローラを圧接配置し、中間転写ベルトと転写ローラとで転写材を挟持搬送するとともに、バックアップローラ及び転写ローラの何れか一方もしくは両方に転写バイアス電圧を印加することで、中間転写ベルト上のトナー画像を転写材に一括転写するようにしたものが採用されている。
【０００５】
像担持体等の表面に担持されたトナー画像を転写ローラにより転写材に転写する転写部材に付設されるクリーニング装置としては、特許文献１及び特許文献２などに記載のものが知られている。
【０００６】
特許文献１のクリーニング装置は、二次転写ローラの表面に当接し且つ転移したトナー画像を掻き乱す回転ブラシと、転写ローラの移動方向下流側に配設されて二次転写ローラ表面を押圧する掻き取り部材（ブレード）を備えたものである。
【０００７】
特許文献２のクリーニング装置は、中間転写ベルトに担持されたトナー画像を転写材に転写する転写ローラと、中間転写ベルトとの圧接によって転写ローラに付着したトナーを掻き乱すトナー拡散手段とを備えたものである。
【特許文献１】特開２００２−２２９３４１号公報
【特許文献２】特開２０００−１８７４０５号公報
【発明の開示】
【発明が解決しようとする課題】
【０００８】
近年、複写機、プリンタ、ファクシミリ、これらの機能を併せ持つ複合機等の画像形成装置においてカラー画像形成化が進み、また重合トナー、小粒径トナーの採用により、転写プロセスにおいても高画質化への要求が大きくなってきている。また、画像形成装置の高速化も進んでいる。これらのことに対し、良好な画像を得るためには、中間転写体に圧接する転写材全面に均一な圧力をかけて、転写材上のトナー画像を良好に転写させることが必要である。
【０００９】
中間転写ベルト上の非画像領域に形成されたパッチ画像は、転写材を介在させずに直ちに転写ローラに接触することから、パッチ画像を構成するトナーが中間転写ベルトから転写ローラに付着（転移）するおそれがある。
【００１０】
このような状況では、中間転写ベルトと転写ローラとの間で転写材が挟持搬送されると、転写材の裏面側に転写ローラが圧接することから、転写ローラに付着したトナーが転写材の裏面に再転写され、これによって転写材の裏面汚れを引き起こすという課題がある。
【００１１】
特に、パッチ画像の場合は、そのシャープエッジが強調されることから、これがそのまま、転写材の裏面に再転写されると汚れが顕著である。
【００１２】
特許文献１に記載のクリーニング装置は、二次転写ローラの表面に回転ブラシとブレードとを当接させたものであるが、二次転写ローラに大量に付着した紙粉等がブレードへ回り込み、クリーニング不良を発生するおそれがある。
【００１３】
特許文献２に記載のクリーニング装置は、二次転写ローラに付着したトナーをブラシローラにより掻き乱す方式であり、且つ、ブラシローラにトナーの帯電極性と逆極性のバイアス電圧を印加し、転写材間は二次転写ローラに逆バイアス電圧を印加するものであるが、逆極性トナー及び弱帯電トナーはクリーニングできないという課題がある。
【００１４】
本発明は、以上の技術的課題を解決するためになされたものであって、パッチ画像の再転写による転写材裏面汚れ等の画質不良を有効的に押さえ、クリーニング性能を改善したクリーニング装置を用いた画像形成装置を提供するものである。
【００１５】
また、カラー画像形成時の二次転写において、中間転写体上に形成された多色トナー像を転写材上に良好に転写させる二次転写部材を備えた画像形成装置を提供することを目的とするものである。
【課題を解決するための手段】
【００１６】
上記目的を達成する本発明の画像形成装置は、トナー画像を担持する像担持体と、前記像担持体に圧接して搬送される転写材に前記トナー画像を転写する転写部材と、前記転写部材に圧接して前記転写部材から前記転写材に転移した残留トナーを除去するクリーニング手段と、を有する画像形成装置において、前記像担持体上の前記転写材間に相当する非画像領域にパッチ画像を形成する画像検知手段と、前記クリーニング手段にバイアス電圧を印加する直流電源と、前記直流電源の極性を切り替える制御手段と、を有し、前記制御手段は、画像領域と非画像領域とで前記バイアス電圧の極性を切り替えるように制御することを特徴とするものである。
【発明の効果】
【００１７】
本発明によれば、転写時にトナーと逆極性に帯電したトナーや紙粉を、クリーニングブレードに到達する前に効果的に除去することができるから、ブレードクリーニングの安定性が向上するとともに、クリーニングブレードや転写ローラの長寿命化が達成される。
【００１８】
また、画像間の非画像領域に形成したパッチ画像は、二次転写ローラへの移行が抑制されるとともに、少量の付着トナーもブラシローラによって除去され、転写材の裏面汚れの発生がなく、且つ、プリント出力の生産性が低下する事のない画像形成装置を提供することができる。
【発明を実施するための最良の形態】
【００１９】
本発明を実施の形態を用いて説明するが、本発明は以下に説明する実施の形態に限られるものではない。
【００２０】
図１は、本発明の実施の形態に係る画像形成装置Ａの要部を示す断面図である。
【００２１】
この画像形成装置Ａは、タンデム型カラー画像形成装置と称せられるもので、複数組の画像形成手段２０Ｙ、２０Ｍ、２０Ｃ、２０Ｋと、ベルト状の像担持体（中間転写体）１、一次転写ローラ２５Ｙ、２５Ｍ、２５Ｃ、２５Ｋ、転写部材（二次転写ローラ）３から成る中間転写ユニットと、定着装置１６、及び給紙装置を有する。
【００２２】
原稿台上に載置された原稿は画像読取装置の原稿画像走査露光装置の光学系により画像が走査露光され、ラインイメージセンサに読み込まれる。ラインイメージセンサにより光電変換されたアナログ信号は、画像処理部において、アナログ処理、Ａ／Ｄ変換、シェーディング補正、画像圧縮処理等を行った後、露光手段２３Ｙ、２３Ｍ、２３Ｃ、２３Ｋに入力される。
【００２３】
イエロー（Ｙ）色の画像を形成する画像形成手段２０Ｙは、像担持体２１Ｙの周囲に配置された帯電手段２２Ｙ、露光手段２３Ｙ、現像手段２４Ｙ及びクリーニング手段２６Ｙを有する。
【００２４】
マゼンタ（Ｍ）色の画像を形成する画像形成手段２０Ｍは、像担持体２１Ｍ、帯電手段２２Ｍ、露光手段２３Ｍ、現像手段２４Ｍ及びクリーニング手段２６Ｍを有する。
【００２５】
シアン（Ｃ）色の画像を形成する画像形成手段２０Ｃは、像担持体２１Ｃ、帯電手段２２Ｃ、露光手段２３Ｃ、現像手段２４Ｃ及びクリーニング手段２６Ｃを有する。
【００２６】
黒（Ｋ）色の画像を形成する画像形成手段２０Ｋは、像担持体２１Ｋ、帯電手段２２Ｋ、露光手段２３Ｋ、現像手段２４Ｋ及びクリーニング手段２６Ｋを有する。
【００２７】
帯電手段２２Ｙと露光手段２３Ｙ、帯電手段２２Ｍと露光手段２３Ｍ、帯電手段２２Ｃと露光手段２３Ｃ及び帯電手段２２Ｋと露光手段２３Ｋとは、潜像形成手段を構成する。
【００２８】
像担持体２１Ｙ、２１Ｍ、２１Ｃ、２１Ｋとしては、ＯＰＣ感光体やａＳｉ感光体等の周知のものが用いられるが、ＯＰＣ感光体が好ましく、特に、負帯電性のＯＰＣ感光体が好ましく本実施の形態では、負帯電性のＯＰＣが用いられる。
【００２９】
帯電手段２２Ｙ、２２Ｍ、２２Ｃ、２２Ｋとしては、スコロトロン、コロトロン等のコロナ放電手段が用いられるが、スコロトロン放電手段が好ましく用いられる。
【００３０】
露光手段２３Ｙ、２３Ｍ、２３Ｃ、２３Ｋとしては、レーザ、ＬＥＤアレイ等、画像データに従って発光する発光素子が用いられる。
【００３１】
ベルト状の中間転写体１は、半導電性であり、転写対向ローラ２Ａ、支持ローラ２Ｂ、駆動ローラ２Ｃ、従動ローラ２Ｄ、テンションローラ２Ｅ、クリーニングローラ２Ｆ、センサＰＳに対向するローラ２Ｇにより巻回され、循環移動可能に支持される。本実施の形態では、中間転写体１は、駆動ローラ２Ｃと従動ローラ２Ｄとの間が平面状に支持されている。
【００３２】
画像形成手段２０Ｙ、２０Ｍ、２０Ｃ、２０Ｋより形成された各色のトナー像ｔは、回動する中間転写体１上に一次転写ローラ２５Ｙ、２５Ｍ、２５Ｃ、２５Ｋにより逐次転写されて（一次転写）、合成されたカラー画像のトナー像ｔが形成される。
【００３３】
給紙装置の給紙カセット内に収容された転写材Ｐは、図示しない給紙手段（第１給紙部）により給紙され、給紙ローラ１２、レジストローラ（第２給紙部）１３を通過して、二次転写手段の転写ローラ３と転写対向ローラ２Ａとが中間転写体１を介して当接する転写ニップ部Ｎに搬送され、転写材Ｐ上にトナー像ｔが転写される（二次転写）。
【００３４】
あるいは、手差し給紙手段から送り出される転写材Ｐは、給紙ローラ１１、レジストローラ１３を経て転写ニップ部Ｎに搬送される。
【００３５】
転写ニップ部Ｎの転写ローラ３に対して、クリーニングブレード４、ブラシローラ５が当接する。ブラシローラ５、固形潤滑剤６Ａ等から成る潤滑剤塗布手段は、像担持体１に潤滑剤を供給する。
【００３６】
カラー画像が転写された転写材Ｐは、搬送ベルト１５によって搬送され、定着装置１６において熱と圧力とを加えられ、転写材Ｐを曲率分離及び分離爪１４により分離した中間転写体１は、クリーニングローラ２Ｆにより残留トナーが除去される。
【００３７】
図２は、画像形成装置Ａの他の実施の形態の画像形成部４０を示す断面図である。
【００３８】
像担持体（感光体）４１の周囲には、画像形成プロセス順に、帯電手段４２、露光手段４３、現像手段４４、転写ローラ４５、分離爪４６、クリーニング手段４７が配設されている。
【００３９】
転写ローラ４５は、回転軸の表面に形成された導電性の弾性層により形成されている。転写ローラ４５に接続する直流電源４８は、像担持体４１に当接する転写ローラ４５に付着した残留トナーを逆バイアス印加により像担持体４１に転移させる。残留トナーを担持した像担持体４１はクリーニング手段４７によりクリーニングされる。
【００４０】
転写ローラ４５の外周面には、クリーニングブレード４と、ブラシローラ５、固形潤滑剤６等から成る潤滑剤塗布手段と、が配置されている。
【００４１】
図３は、像担持体（感光体、中間転写体）１と転写部材（以下、転写ローラと称す）３とが当接する本発明に係る転写手段の断面図である。図４は転写手段の斜視図である。
【００４２】
ベルト状の像担持体１は、ポリイミド、ポリカーボネイト、ポリエステル等の樹脂、又は、各種ゴムに導電剤が含有されたもので、体積抵抗率が１０Ｅ＋５乃至１０Ｅ＋１２Ω・ｃｍとなるように調整されている。
【００４３】
ベルト状の感光体又は中間転写体の像担持体１は、転写対向ローラ２及び後述の複数のローラ群（図１参照）を巻回して回転される。
【００４４】
転写対向ローラ２は、ベルト状の像担持体１の内面側で、転写ローラ３に対向して配置されている。
【００４５】
転写ローラ３は像担持体１を介して転写対向ローラ２を押圧し、像担持体１上に形成されたトナー画像Ｔを転写材Ｐに転写する。
【００４６】
転写ローラ３は、アクリロニトリル・ブタジエンゴム（ＮＢＲ）やウレタンゴム等の弾性部材の表面にフッソ樹脂をコーティングしたもの、または、フッソ系やナイロン系のチューブを弾性部材の表面に被覆したもの等が用いられる。転写ローラ３は、導電剤の導入により体積抵抗が１０Ｅ＋３乃至１０Ｅ＋１２Ωに制御されている。転写ローラ３は図示しない駆動手段によって回転される。
【００４７】
転写ローラ３の外周面には、クリーニングブレード４とトナー回収手段が接触配置されている。クリーニングブレード４はウレタンゴムから成り、転写ローラ３にカウンタ方向に当接している。
【００４８】
トナー回収手段は、転写ローラ３の外周面に当接するブラシローラ５、ブラシローラ５に潤滑剤を塗布する潤滑剤付与手段６、ブラシローラ５からトナーを回収するトナー回収ローラ７、トナー回収ローラ７に当接するスクレーパ８Ａ等を有する。
【００４９】
ブラシローラ５は、例えば基布上にアクリルやナイロン、ポリエステル等の絶縁性の繊維を植毛して、ポリカーボネートから成る円筒状芯体の外周部に接着した構造をなすもので、そのブラシ先端部が転写ローラ３に接触する。
【００５０】
ブラシローラ５は、図示しない駆動手段によって反時計方向に回転して転写ローラ３からトナーを除去しながら固形潤滑剤６を転写ローラ３に塗布する。
【００５１】
潤滑剤付与手段６は、ブラシローラ５に当接する固形潤滑剤６Ａ、固形潤滑剤６Ａを収容する枠体６Ｂ、固形潤滑剤６Ａをブラシローラ５に付勢する付勢部材６Ｃ等から構成されている。
【００５２】
固形潤滑剤６Ａは、ステアリン酸亜鉛、ステアリン酸カルシウム等の脂肪酸金属塩を主成分とし、固形の棒形状をなす。固形潤滑剤６Ａはブラシローラ５を介して転写ローラ３の表面に供給される。
【００５３】
転写対向ローラ２に接続する切換スイッチＳＷ１は、正の転写電圧を印加する直流電源９Ｅ１と、負の転写電圧を印加する直流電源９Ｅ２とを切り換える。
【００５４】
この実施例では、トナーには負極帯電用のトナーを使用している。転写ローラ３は接地されている。
【００５５】
トナー回収ローラ７に接続する切換スイッチＳＷ２は、正の転写電圧を印加する直流電源９Ｅ３と、負の転写電圧を印加する直流電源９Ｅ４とを切り換える。
【００５６】
図５は、本発明に係る転写手段の他の実施の形態を示す断面図である。なお、この図面に使用されている符号について、図３と同じ機能を有する部分には同符号を付している。また、前述の実施の形態と異なる点を説明する。
【００５７】
トナー回収手段は、転写ローラ３の外周面に当接するブラシローラ５、ブラシローラ５に潤滑剤を塗布する潤滑剤付与手段６、ブラシローラ５に当接するフリッカ８Ｂ等を有する。
【００５８】
ブラシローラ５に接続する切換スイッチＳＷ３は、正の転写電圧を印加する直流電源９Ｅ５と、負の転写電圧を印加する直流電源９Ｅ６とを切り換える。
【００５９】
図６は制御手段３０による転写手段の制御を示すブロック図である。
【００６０】
図６に示すように、像担持体１の面上には、トナー画像Ｔを有する転写材間（先行の転写材Ｐの後端部と後続の転写材Ｐの先端部との間隔）に相当する非画像領域に、トナー画像Ｔの位置合わせや濃度制御などのプロセスコントロール用のパッチ画像Ｋが形成される。画像濃度検知手段は、このパッチ画像の読み取り結果に基づいて、トナー画像Ｔの濃度制御や、各色の制御パラメータを適宜設定して変更する。
【００６１】
制御手段３０は、トナーの極性、トナー画像Ｔの濃度、パッチ画像Ｋの濃度、転写材Ｐのサイズと紙間等の入力により、切換スイッチＳＷ１〜ＳＷ３の何れかを選択して、直流電源９Ｅ１〜９Ｅ６を起動させる。これにより転写対向ローラ２、トナー回収ローラ７、ブラシローラ５の何れかの電圧極性が切り換えられる。
【００６２】
図７はトナー極性マイナスの時の転写手段の制御のタイミングチャートである。
【００６３】
時間ｔ１において、図３に示すトナー回収ローラ７またはブラシローラ５に直流電源９Ｅ４に負の印加電圧が印加されて、トナーを転写材Ｐに転写させる。又は図５に示すブラシローラ５に直流電源９Ｅ６より負の印加電圧が印加される。
【００６４】
時間ｔ２において、直流電源９Ｅ２により転写対向ローラ２に負の印加電圧が印加される。時間ｔ２と時間ｔ３の間に、転写対向ローラ２は負電荷を帯電したトナーを転写する。また、時間ｔ１と時間ｔ３の間に、トナー回収ローラ７は正帯電した紙粉を除去する。
【００６５】
時間ｔ３において、切換スイッチＳＷ１により電圧極性が切り換えられて、転写対向ローラ２に正の印加電圧が印加され、転写材間のパッチ画像が転写ローラ３に転移しないようにする。
【００６６】
時間ｔ３において、切換スイッチＳＷ２により電圧極性が切り換えられて、トナー回収ローラ７またはブラシローラ５に正の印加電圧が印加される。あるいは、切換スイッチＳＷ３により電圧極性が切り換えられて、ブラシローラ５に逆極性の正の電圧が印加される。時間ｔ２と時間ｔ３の経過中に転写材Ｐが搬送される。
【００６７】
逆バイアス電圧が印加されている時間ｔ３から時間ｔ４までの時間内にパッチ画像Ｋが転写手段を通過する。従って、パッチ画像Ｋに逆の正の印加電圧が印加される。この時間ｔ３から時間ｔ４までの時間内に、転写対向ローラ２は負帯電したトナーを転写させない。ほぼ同時に、この時間ｔ３から時間ｔ４までの時間内に、トナー回収ローラ７は、負帯電のトナーを除去する。
【００６８】
時間ｔ４において、切換スイッチＳＷ１により電圧極性が切り換えられて、転写対向ローラ２に再び負の印加電圧が印加される。トナー回収ローラ７またはブラシローラ５の極性切り換えによる時間ｔ４と時間ｔ５の経過中に転写材Ｐが搬送される。時間ｔ５において転写対向ローラ２への電圧印加が解除される。
【００６９】
時間ｔ５から所定時間経過後の時間ｔ６において、切換スイッチＳＷ２により電圧極性が切り換えられて、トナー回収ローラ７に負の印加電圧が解除される。あるいは、図５に示す切換スイッチＳＷ３により電圧極性が切り換えられて、ブラシローラ５の負の印加電圧が解除される。
【００７０】
【表１】
2008089657.tif 000003
【００７１】
表１は、上述の転写対向ローラ２とトナー回収ローラ７、又はブラシローラ５の印加電圧極性を画像領域とパッチ画像を含む非画像領域とで電圧印加の極性を切り換える制御を纏めて表としたものである。
【００７２】
画像転写時に、転写対向ローラ２及びトナー回収ローラ７、ブラシローラ５をトナーと同極性に設定し、画像間のパッチ画像Ｋが転写部を通過する時、転写対向ローラ２及びトナー回収ローラ７、ブラシローラ５をトナーと逆極性に設定することにより、逆極性に帯電したトナーや紙粉を、クリーニングブレードに到達する前に効果的に除去することができる。
【００７３】
なお、以上の実施の形態では、潤滑剤塗布手段に固形潤滑剤６Ａを使用したが、本発明は、これに限定されるものではなく、液状の潤滑剤を使用する事も可能である。また、ブラシローラ５に代えて発泡性の弾性ローラを使用する事も可能である。
【図面の簡単な説明】
【００７４】
【図１】本発明の実施の形態に係る画像形成装置の要部を示す断面図。
【図２】画像形成装置の他の実施の形態の画像形成部を示す断面図。
【図３】像担持体と転写部材とが当接する本発明に係る転写手段の断面図。
【図４】転写手段の斜視図。
【図５】本発明に係る転写手段の他の実施の形態を示す断面図。
【図６】制御手段による転写手段の制御を示すブロック図。
【図７】転写手段の制御のタイミングチャート。
【符号の説明】
【００７５】
１  像担持体（感光体、中間転写体）
２、２Ａ  転写対向ローラ
３  転写部材（転写ローラ）
４  クリーニングブレード
５  ブラシローラ
６  潤滑剤付与手段
６Ａ  固形潤滑剤
７  トナー回収ローラ
８Ａ  スクレーパ
８Ｂ  フリッカ
９Ｅ１、９Ｅ２、９Ｅ３、９Ｅ４、９Ｅ５、９Ｅ６  直流電源
３０  制御手段
４０  画像形成部
４１  像担持体（感光体）
４５  転写ローラ
４７  クリーニング手段
４８  直流電源
Ａ  画像形成装置
Ｋ  パッチ画像
Ｎ  転写ニップ部
Ｐ  転写材
ＳＷ１、ＳＷ２、ＳＷ３  切換スイッチ
Ｔ  トナー画像
【図１】
2008089657.tif 000004
【図２】
2008089657.tif 000005
【図３】
2008089657.tif 000006
【図４】
2008089657.tif 000007
【図５】
2008089657.tif 000008
【図６】
2008089657.tif 000009
【図７】
2008089657.tif 000010